(57)【要約】【課題】  簡便かつ容易にシミ、汚れ等を除去することができ、シミ抜き剤が皮膚を荒らしたり、布地を傷めたりする虞もない携帯用シミ取りスプレーを提供する。【解決手段】  シミ取り剤Ｓを注入した本体部３と、シミ取り剤Ｓを噴出する噴出部４とから構成されるスプレー容器２内に、シミ取り剤Ｓとして炭酸水（Ｈ２ＣＯ３）を注入する。炭酸水（Ｈ２ＣＯ３）として、水（Ｈ２Ｏ）に二酸化炭素（ＣＯ２）を２．０〜１４．０重量％溶解させたもの、又、水素イオン濃度がｐＨ５．０〜１３．０のものを使用するのが好ましい。【選択図】          図１
2006006358.tif 000002
【特許請求の範囲】
【請求項１】
シミ取り剤を注入した本体部と、シミ取り剤を噴出する噴出部とから構成されるスプレー容器内に、シミ取り剤として炭酸水を注入したことを特徴とする携帯用シミ取りスプレー。
【請求項２】
前記炭酸水として、水に二酸化炭素を２．０〜１４．０重量％溶解させたものを使用することを特徴とする請求項１に記載の携帯用シミ取りスプレー。
【請求項３】
前記炭酸水として、水素イオン濃度がｐＨ５．０〜１３．０のものを使用することを特徴とする請求項１又は２に記載の携帯用シミ取りスプレー。
【発明の詳細な説明】
【技術分野】
【０００１】
本発明は、外出等した際に衣服等に付着したシミ、汚れ等を簡便かつ容易に除去できると共に、皮膚、布地等にシミ取り剤が付着しても、皮膚を荒らしたり、布地を傷めたりしない携帯用シミ取りスプレーに関する。
【背景技術】
【０００２】
外出等した際に衣服等にシミ、汚れ等が付着した場合、後になって、家庭においてシミ抜き剤等を用いてシミ、汚れ等を除去したり、クリーニング業者に依頼してシミ、汚れ等を除去していたが、既に相当の時間が経過しているため、シミ、汚れ等が衣服等に強固に付着して、完全に除去することはできなかった。
【０００３】
そこで、特許文献１に開示される如く、塗布部７を有するシミ抜き剤収納部２と吸収体を収納する吸収体収納部３とを着脱自在に設けた携帯用シミ抜き具１が提案されている。
この携帯用シミ抜き具１は、外出時にバック等に挿入して携帯することができ、シミ、汚れ等が衣服等に付着した場合に、直ちにシミ、汚れ等を除去することができる。
【０００４】
【特許文献１】特開２００２−１８６７９８号公報
【０００５】
しかし、上記携帯用シミ抜き具１は、シミ、汚れ等を除去する際、吸収体収納部３に収納された吸収体上にシミ、汚れが付着した衣服の部分を載せ、その部分に塗布部７を押圧してシミ抜き剤収納部２からシミ抜き剤を滲み出させ、シミ、汚れ等を除去するため、衣服を着たままシミ抜きするのは容易ではなかった。
【０００６】
又、上記携帯用シミ抜き具１は、シミ抜き剤としてメチルアルコール、アルキルベンゼンスルホネート、次亜塩素酸ソーダ等の溶剤、界面活性剤、酸化還元剤等を使用しているため、シミ抜き剤が皮膚、布地等に付着すると、皮膚を荒らしたり、布地を傷めたりする虞があった。
【０００７】
さらに、シミ、汚れが付着した衣服の部分に塗布部７を押圧してシミ抜き剤収納部２からシミ抜き剤を滲み出させるため、使用時に塗布部７にシミ、汚れが付着し易く、次回使用時に、塗布部７に付着したシミ、汚れが衣服に移って、却って、衣服にシミ、汚れを付着させてしまう虞もあった。
【発明の開示】
【発明が解決しようとする課題】
【０００８】
本発明は、かかる従来の問題点に鑑みて為されたものであって、その目的とするところは、衣服を着たまま簡便かつ容易にシミ、汚れ等を除去することができ、シミ抜き剤が皮膚を荒らしたり、布地を傷めたりする虞がなく、さらに、次回使用時に、衣服にシミ、汚れ等が付着する虞もない携帯用シミ取りスプレーを提供することにある。
【課題を解決するための手段】
【０００９】
上記目的を達成するため、本発明は、シミ取り剤を注入した本体部と、シミ取り剤を噴出する噴出部とから構成されるスプレー容器内に、シミ取り剤として炭酸水を注入したことを特徴とする携帯用シミ取りスプレーである。
【００１０】
前記炭酸水としては、水に二酸化炭素を２．０〜１４．０重量％溶解させたものを使用するのが好ましく、又、水素イオン濃度がｐＨ５．０〜１３．０のものを使用するのが好ましい。
【発明を実施するための最良の形態】
【００１１】
以下、本発明の携帯用シミ取りスプレーの好適な実施形態について、図面を参照して説明する。
図１は、本発明の携帯用シミ取りスプレーの外観斜視図、図２は、本発明の携帯用シミ取りスプレーの使用状態を示す説明図である。
【００１２】
本発明の携帯用シミ取りスプレー１は、薄肉金属製スプレー容器２内に、水（Ｈ２Ｏ）に二酸化炭素（ＣＯ２）を高圧下で溶解させた炭酸水（Ｈ２ＣＯ３）をシミ取り剤Ｓとして注入したものである。
【００１３】
スプレー容器２は、図１に示すように、ステンレス、アルミニウム等の金属材料から成形し、注入した炭酸水（Ｈ２ＣＯ３）から発生する二酸化炭素（ＣＯ２）の圧力に耐えられる程度の肉厚とした本体部３と、充満した二酸化炭素（ＣＯ２）の圧力によって炭酸水（Ｈ２ＣＯ３）を噴出させる噴出部４とから構成され、噴出部４には炭酸水（Ｈ２ＣＯ３）の噴出方向を規定するノズル４１を突設してある。
【００１４】
又、スプレー容器２は、外出時にバック等に挿入して携帯することができる大きさに成形される。それによって、外出時においてシミ、汚れ等が衣服等に付着した場合に、その場で直ちに、シミ、汚れ等を除去することができる。
尚、必ずしも外出時に限らず、家庭、職場等において常時装備しておき、シミ、汚れ等が衣服等に付着した場合に、その場でシミ、汚れ等を除去するようにしてもよい。
【００１５】
本発明の携帯用シミ取りスプレー１における特徴は、シミ取り剤Ｓとして炭酸水（Ｈ２ＣＯ３）を採用し、これを噴出させるようにした点にある。
そして、炭酸水（Ｈ２ＣＯ３）としては、水（Ｈ２Ｏ）に二酸化炭素（ＣＯ２）を２．０〜１４．０重量％、好ましくは５．０〜１１．０重量％、特に好ましくは７．０〜９．０重量％溶解させたものを使用する。
【００１６】
又、炭酸水（Ｈ２ＣＯ３）としては、水素イオン濃度（ｐＨ）が弱酸性から中性に相当するｐＨ５．０以上８．０以下、弱アルカリ性に相当するｐＨ８．０超過１１．０以下、又、アルカリ性に相当するｐＨ１１．０超過１３．０以下のものを使用する。
特には、膨潤作用、洗浄作用が大きくなる弱アルカリ性又はアルカリ性のものを使用するのが好ましく、このような炭酸水（Ｈ２ＣＯ３）によれば、シミ、汚れ等を除去する効果はより高くなる。
尚、炭酸水（Ｈ２ＣＯ３）は、通常、弱酸性であるが、水（Ｈ２Ｏ）に含有されるカルシウム（Ｃａ）、マグネシウム（Ｍａ）イオン等の分量によって、適宜アルカリ性を呈するようになる。
【００１７】
本発明の携帯用シミ取りスプレー１は、図２に示すように、衣服５にシミ６が付着した部分の近傍に位置させ、噴出部４を押下することによって、炭酸水（Ｈ２ＣＯ３）をノズル４１からシミ６に向けて噴出する。
この際、衣服５のシミ６が付着した部分の裏側面に、ハンカチ、タオル等を添えておくのが好ましい。
【００１８】
噴出された炭酸水（Ｈ２ＣＯ３）は、衣服５のシミ６が付着した部分に到達すると、噴出圧及び炭酸水の発泡圧によって物理的に、又、発泡した炭酸水が布地を膨潤させることによって、シミ６を布地から離反、除去させようとする。
そして、離反、除去されたシミ６は、衣服５のシミ６が付着した部分の裏側面に添えたハンカチ、タオル等に転写される。
【００１９】
以上の如く、本発明の携帯用シミ取りスプレー１は、衣服５にシミ６が付着した部分の近傍に位置させ、炭酸水（Ｈ２ＣＯ３）をノズル４１から噴出するだけでシミ、汚れ等を除去することができるから、衣服を着たまま簡便かつ容易にシミ、汚れ等を除去することができる。
【００２０】
又、シミ取り剤Ｓとして溶剤、界面活性剤等を使用せず、皮膚、布地等に影響を及ぼさない炭酸水（Ｈ２ＣＯ３）を使用したから、シミ取り剤Ｓが皮膚、布地等に付着したとしても、特に何等の問題もなく、皮膚を荒らしたり、布地を傷めたりする虞はない。
【００２１】
さらに、炭酸水（Ｈ２ＣＯ３）をノズル４１から噴出することによって、シミ、汚れ等を除去するものであるから、次回使用時に、携帯用シミ取りスプレー１からシミ、汚れが衣服に移って、衣服にシミ、汚れを付着させてしまう虞もない。
【００２２】
又、本発明の携帯用シミ取りスプレー１は、スプレー容器２内に炭酸水（Ｈ２ＣＯ３）をシミ取り剤Ｓとして注入したものであるから、構成が簡易であり、製造コストも極めて安価である。
【図面の簡単な説明】
【００２３】
【図１】本発明の携帯用シミ取りスプレーの外観斜視図である。
【図２】本発明の携帯用シミ取りスプレーの使用状態を示す説明図である。
【符号の説明】
【００２４】
１    携帯用シミ取りスプレー
２    スプレー容器
３    本体部
４    噴出部
４１  ノズル
Ｓ    シミ取り剤
【図１】
2006006358.tif 000003
【図２】
2006006358.tif 000004